(57)【要約】      （修正有）【課題】樹脂製竿体と金属皮膜とのそれぞれの特性を十分に活かして釣りの当たりに対する視認感度と手感度を高めることができ、製造が容易で樹脂製竿体に熱影響が及びにくく、しかも低コストで、色合いの点でも好ましい穂先竿を提供する。【解決手段】穂先竿１は、元竿の先端部分に接続されるもので、繊維強化樹脂製の本体部分２の最先端からその全長Ｌ１の２０〜４０％に相当する長さＬ２の範囲のみに金属皮膜３を有する。本体部分がガラスソリッド製で、金属皮膜が無電解ニッケルメッキ皮膜であるのがとくに好ましい。【選択図】図１
0003231020.tif 000002
【実用新案登録請求の範囲】
【請求項１】
元竿の先に接続される穂先竿であって、
繊維強化樹脂製の本体部分の最先端からその全長の２０〜４０％の位置までの連続する範囲のみに金属皮膜を有することを特徴とする穂先竿。
【請求項２】
上記金属皮膜がニッケル皮膜であることを特徴とする請求項１に記載の穂先竿。
【請求項３】
上記金属皮膜がメッキ皮膜であることを特徴とする請求項１または２に記載の穂先竿。
【請求項４】
上記金属皮膜が無電解ニッケルメッキ皮膜であることを特徴とする請求項１〜３のいずれかに記載の穂先竿。
【請求項５】
上記本体部分がガラスソリッド製であることを特徴とする請求項１〜４のいずれかに記載の穂先竿。
【請求項６】
上記金属皮膜の厚さが２〜６μｍであることを特徴とする請求項１〜５のいずれかに記載の穂先竿。
【請求項７】
上記金属皮膜の表面の色が黄色系または橙色系であることを特徴とする請求項１〜６のいずれかに記載の穂先竿。
【請求項８】
上記金属皮膜を有する部分とそれがない部分とを含む全長において最外層にウレタン系のクリア塗膜を有することを特徴とする請求項１〜７のいずれかに記載の穂先竿。
【請求項９】
全長が４００ｍｍ〜６００ｍｍであり、直径１ｍｍ以下の最先端部から直径４ｍｍ以下の最大外径部にかけてテーパを有していて、最先端部から長さ８０ｍｍ〜２００ｍｍまでの連続する表面に上記金属皮膜を有することを特徴とする請求項１〜８のいずれかに記載の穂先竿。
【請求項１０】
請求項１〜９のいずれかに記載の穂先竿を収納するための穂先竿ケースであって、
筒状体と、当該筒状体の一端または両端に着脱可能に装着されるキャップとを有し、上記キャップが、穂先竿の端部を挿入して固定する複数の穴が形成されたゴム製の竿保持具を有することを特徴とする穂先竿ケース。
【考案の詳細な説明】
【技術分野】
【０００１】
本考案は、筏のチヌ釣りなどで元竿に接続して使用する穂先竿に関するものである。
【背景技術】
【０００２】
魚が餌や針に食い付いたときの当たりは、穂先竿の動き（しなり・曲がり・たわみ）を目視したり、竿の振動を手で感じたりすることによって感知することができる。柔軟性があって魚が食い付いたときの動きを目視しやすく、かつ、釣り人の手元に伝わる感度を向上させた、という穂先竿として特許文献１に記載のものがある。その穂先竿は、樹脂製の竿体と、その竿体を被覆する、金属または金属化合物からなるイオンプレーティング層とを備えている。一般に樹脂製の竿体は柔軟にしなるので先端部の動きを視認しやすく（視認感度がよく）、金属製の場合には当たりによる振動が手に伝わりやすい（手感度がよい）、という考えに基づいてその穂先竿は構成されている。
【先行技術文献】
【特許文献】
【０００３】
【特許文献１】実用新案登録第３２１４７２８号公報
【考案の概要】
【考案が解決しようとする課題】
【０００４】
特許文献１の穂先竿は、樹脂と金属との双方の特性を生かして視認感度と手感度とを両立させた点で好ましいものの、つぎの点では課題がある。すなわち、
イ）  金属皮膜が竿の全長に形成されているため、樹脂製の竿体が本来有している柔軟性が十分には活かされがたい。また、皮膜の形成範囲が長い（面積が広い）ことから、コストの面でも不利である。
ロ）  金属皮膜はイオンプレーティングで形成された層であるため、その形成にあたって樹脂製の竿体（本体部分）が１００℃を超える炉内に置かれなければならない。竿体の母材として使われることの多いエポキシ樹脂は約１３０℃で溶融するため、竿体が塑性変形しないように温度管理を厳密に行う必要があり、皮膜形成に手間がかかる。
ハ）  イオンプレーティング層の色合いはコントロールが難しく、複数本の竿体を同じ炉に入れてもイオンプレーティング層が個々に異なる色になりがちである。そのため、すべての穂先竿の色合いを整えて視認性の良好なものに仕上げることが困難である。
以上の点を考慮し、本考案は、樹脂製竿体と金属皮膜とのそれぞれの特性を十分に活かして感度を高めることができ、製造が容易で樹脂製竿体に熱影響が及びにくく、しかも低コストで、色合いの点でも好ましい穂先竿を提供することを目的とする。
【課題を解決するための手段】
【０００５】
本考案に係る穂先竿は、元竿の先端部分に接続される穂先竿であって、繊維強化樹脂製の本体部分の最先端からその全長の２０〜４０％の位置までの連続する範囲のみに金属皮膜を有することを特徴とする。
図１に示す穂先竿１は本考案の一例であって、全長（長さＬ１）のうち、最先端（図示左端の細い側の端部）から元竿側（図示右方）に向かう一部分（全長の２０〜４０％に相当する長さＬ２の範囲）の表面のみに金属皮膜３が形成されている。実質上最先端の部分から元竿側にかけて金属皮膜を有しておればよいので、本考案の穂先竿は、たわみ等の変位に影響がない最先端の局所部分を除外して金属皮膜が形成されたものも含む。
【０００６】
上記考案の穂先竿は、金属皮膜を、繊維強化樹脂製の本体部分全体にではなく、最先端から元竿側に向けての上記一部分、すなわち、魚が食い付いたときの当たりで最も変化の出る部分のみに有している。そのため、次のような利点を有する。
・  穂先竿のうち金属皮膜がない部分は、繊維強化樹脂製の本体部分が本来有する特性によって柔軟にしなる（曲がる）。その一方、金属皮膜を有する部分は、金属皮膜が有する硬さや弾性に基づいて素早く躍動的に変位する。両者の組合せにより、当たりがあったとき、金属皮膜を有する先端付近が大きくかつ弾むように動くことから、使用者が当たりを視認しやすい（視認感度がよい）。
・  穂先竿は、最先端寄りの部分が細く、元竿側にかけて次第に太くなるように形成されているのが一般的であるが、その細い部分が金属皮膜で補強されるため、食い付いた魚から強く引かれたときにも折れにくい。
・  金属皮膜を有しない部分において柔軟にしなるため、魚に強く引かれても糸切れが起こりにくい。
・  金属皮膜を上記の限られた範囲のみに形成すればよいので、製造コストを抑制できる。
・  樹脂よりも硬い金属皮膜を有するため、魚が食い付いたときの当たりが手にも伝わりやすい（手感度がよい）。
【０００７】
上記の金属皮膜がニッケル皮膜であると好ましい。
ニッケル皮膜は、本体部分を構成する樹脂の表面への付着性・追従性がよいため、穂先竿が大きく曲がるときにも剥離やひび割れを生じにくい。
【０００８】
上記の金属皮膜がメッキ皮膜であると好ましい。
メッキ皮膜は、イオンプレーティングによる皮膜よりも低コストで形成することができる。メッキ皮膜の形成はメッキ槽で行われるため、製造本数に応じたメッキ槽やメッキ液を選択することにより、大量生産でない場合にも低コストでの製造が可能である。また、イオンプレーティングのものに比べて皮膜が軟らかいため、施工厚さに誤差が生じた場合にも皮膜形成部分の硬さに影響が生じがたく、その点でも製造が容易である。
【０００９】
上記の金属皮膜が無電解ニッケルメッキ皮膜であるとさらに好ましい。
無電解ニッケルメッキ皮膜は、還元反応によりメッキ液中のニッケルイオンが樹脂表面に析出して形成されるもので、１００℃以下の常温に近い温度で行うことが可能だからである。そのような低温度で皮膜を形成できるため、穂先竿の本体部分である樹脂が熱影響を受ける恐れがない。また、厳密な温度管理を必要としないので、製造が容易である。しかも、無電解ニッケルメッキは皮膜の色合いのコントロールが可能であるため、目立つ色合いに仕上げることで視認感度の向上を図ることもできる。
【００１０】
上記の本体部分がガラスソリッド製（すなわちガラス繊維強化樹脂で形成された中実のもの）であることが好ましい。
ガラスソリッド製の本体部分は、炭素繊維強化樹脂製のものに比べてより柔軟にしなるため、当たりに対する視認感度を効果的に高めることができる。
【００１１】
上記金属皮膜の厚さが２〜６μｍであることが好ましい。
２〜６μｍの厚さであれば、繊維強化樹脂製の本体部分がしなっても皮膜が剥離しにくい。また、適度に剛性を高めることになるので手感度にも好影響を及ぼす。もちろん、金属を皮膜として形成するのであって穂先竿の本体を金属にするのでないから、重量が増加して穂先竿が扱いにくくなることもない。
【００１２】
上記金属皮膜の表面の色が黄色系または橙色系であることが好ましい。
黄色系または橙色系の色合いであれば目立つため、このような色の金属皮膜を先端付近に形成された穂先竿は高い視認感度を有するといえる。なお、イオンプレーティングではなくメッキによって金属皮膜を形成することにより、皮膜の色合いを自在に設定することができる。
【００１３】
上記穂先竿は、上記金属皮膜を有する部分とそれがない部分とを含む全長において最外層にウレタン系のクリア塗膜を有することが好ましい。
穂先竿は、釣糸を通すための釣糸ガイドを取り付けて使用されるのが一般的である。穂先竿の全体にウレタン系のクリア塗膜が形成されていると、釣糸ガイドを固定するための接着剤（たとえば瞬間接着剤）による接着性が高くなって好都合である。また、その塗膜は、金属皮膜の腐食防止の効果をもたらす点でも有利である。なお、図２(ａ)・(ｂ)の例において符号２がウレタン系クリア塗膜であり、図３中の符号６が釣糸ガイドである。
【００１４】
上記穂先竿は、全長が４００ｍｍ〜６００ｍｍであり、直径１ｍｍ以下の最先端部と直径４ｍｍ以下の最大外径部との間にテーパを有していて、最先端部から長さ８０ｍｍ〜２００ｍｍまでの連続する表面に上記金属皮膜を有することが好ましい。
上記した金属皮膜を有するこのような穂先竿は、元竿と接続して１ｍ〜２ｍ程度の長さになる釣竿として利用可能であり、適度な柔軟性と硬さとに基づいて、筏や船釣のチヌ（クロダイ）釣り等にて優れた視認感度と手感度とを発揮する。
【００１５】
考案による穂先竿ケースは、上記したいずれかの穂先竿を収納するための穂先竿ケースであって、筒状体と、当該筒状体の一端または両端に着脱可能に装着されるキャップとを有し、上記キャップ（筒状体の一端または両端に装着されるもの）が、穂先竿の端部を挿入して固定する複数の穴が形成されたゴム製の竿保持具を有することを特徴とする。図４に、一例としての穂先竿ケース１０を示している。
このような穂先竿ケースであれば、穂先竿が竿保持具に保持されてケース内に安定的に収納される。そのため、運搬中等にケース内で穂先竿同士または穂先竿とケースとが接触して上記の金属皮膜が剥がれる、といった不都合が防止される。金属皮膜の形成された範囲が小さいだけに、その皮膜が剥がれると感度が著しく低下する恐れがあるが、この穂先竿ケースを利用するとそれを防止できるという効果がある。
【考案の効果】
【００１６】
考案の穂先竿によれば、繊維強化樹脂製の本体部分に対し先端側の適切な範囲にのみ金属皮膜を設けたことから、柔軟性に富んだ繊維強化樹脂と硬さのある金属皮膜との両方の特性を十分に活かし、視認性を向上させるなど魚釣り上の感度を効果的に高めることができる。先端寄りの細い部分が折れにくい、糸切れが起こりにくい、製造コストを下げられる、といった利点もある。
金属皮膜の金属（化学成分）や皮膜の形成方法を適切に定めることにより、本体部分である繊維強化樹脂への追従性や皮膜形成のコスト、樹脂への熱的影響、皮膜の色合いの設定についてさらにメリットがもたらされる。皮膜の厚さや繊維強化樹脂の種類を選ぶことによっても、穂先竿の柔軟性や硬さ等を有利に設定できて感度を高めることができる。最外層にウレタン系のクリア塗膜を形成すると、釣糸ガイドの固定や金属皮膜の腐食防止に関して有利である。
また、考案による穂先竿ケースを使用すると、穂先竿が適切に保護され、穂先竿に形成された金属皮膜が剥がれにくいという効果がある。
【図面の簡単な説明】
【００１７】
【図１】考案の実施例である穂先竿１を示す側面図である、
【図２】図２(ａ)は図１におけるＡ−Ａ断面図、同(ｂ)は同じく図１のＢ−Ｂ断面図である。
【図３】穂先竿１に釣糸ガイド６を取り付けた状態を示す側面図である。
【図４】穂先竿ケース１０の要部を示す斜視図であり、穂先竿１を２本収容しようとする状態を示している。
【考案を実施するための形態】
【００１８】
以下、本考案の穂先竿について、その実施例を図１〜３に基づき説明する。
図１の穂先竿１は、筏や船釣のチヌ用釣竿として、元竿（図示せず）に接続して用いるものである。この例では、全長Ｌ１が４４０ｍｍで、最も細い最先端（図示左端）の外径（直径）が０．５ｍｍ、基端（図示右端）に近い箇所にある最大径部分の外径（同）が２．５５ｍｍである。最先端から最大径部分にかけては次第に太くなるテーパが形成され、最大径部分から基端までの長さ数十ｍｍの範囲には、元竿への挿入用部分として、基端に近づくほど細くなる逆向きのテーパ（図示省略）が形成されている。
【００１９】
穂先竿１は、ガラス繊維をエポキシ樹脂で固めたガラスソリッド（中実のガラス繊維強化樹脂）を、削って円形断面にするとともに上記のテーパを形成して本体部分２としたものである。ガラスソリッドは柔軟性に富むため、しなりやすい穂先竿を構成するのに適している。
【００２０】
図示の穂先竿１では、本体部分２の最先端から基端部に向かう長さＬ２の範囲のみに、無電解ニッケルメッキ皮膜３を形成している。同皮膜３は、長さＬ２の範囲では連続的にかつ全周に形成している。全長Ｌ１が４４０ｍｍであるこの穂先竿１においては、長さＬ２として１０５ｍｍの範囲（全長の約２４％）に同皮膜３を設け、その厚さは２〜６μｍとしている。
【００２１】
無電解ニッケルメッキ３は、常温程度の環境下で、ニッケルイオンを含むメッキ液に本体部分２の該当範囲を浸漬し、その表面にニッケルを析出させることによって施工する。この施工の際、形成されるメッキ皮膜３が黄色系や橙色系の目立つ色合いになるように調整することも難しくない。なお、本体部分２のうち、上記のメッキ皮膜３を形成しない残りの部分には、黒色の塗装層４を形成している。
【００２２】
本体部分２に上記のとおり無電解ニッケルメッキ３と黒色塗装層４とをそれぞれ形成したのち、全長Ｌ１の全表面にウレタン系のクリア塗膜５を形成している。その結果、穂先竿１の横断面は、図２(ａ)または図２(ｂ)に示すとおりとなる。すなわち、上記した長さＬ２の範囲では図２(ａ)のように、本体部分（ガラスソリッド）２の表面をメッキ皮膜３とクリア塗膜５が覆うものとなり、それ以外の部分では、本体部分２の表面を黒色塗装層４とクリア塗膜５とが覆うものとなる。なお、黒色塗装層４の厚さは１０μｍ程度、クリア塗膜５の厚さは０．１ｍｍ程度である。
【００２３】
一般に穂先竿１には、図３に示すように複数の釣糸ガイド６を取り付ける。釣糸ガイド６が有する環状の取付け部を穂先竿１の外側に嵌め付け、それらの間を接着剤で固定するのが通常である。図示の穂先竿１においては、全長Ｌ１の最外層にウレタン系のクリア塗膜５を施しているので、接着剤が作用しやすく釣糸ガイド６がしっかりと固定される。
【００２４】
この穂先竿１は、基端部（上記の挿入用部分）を元竿に差し込むことにより接続して、長さ１〜２ｍの釣竿として使用することができる。本体部分２をカーボンソリッドとし、その全長Ｌ１のうち最先端付近の長さＬ２の範囲のみに無電解ニッケルメッキ皮膜３を形成していることから、この穂先竿１では、カーボンソリッドと金属皮膜との双方の特性がともに適切に発揮されて良好な感度が得られる。無電解ニッケルメッキによって皮膜３を形成しているため、本体部分２への熱影響がないよう容易に製造することができる。そのほか、上記のような目立つ色合いにすることも難しくないという利点もある。
【００２５】
考案の穂先竿は、本体部分の材質（繊維強化樹脂）や全長、太さなどの寸法のほか、金属皮膜の形成範囲、同皮膜の材料・厚さ・色合い・形成方法、さらには黒色塗装層・クリア塗膜の有無や色、釣糸ガイドの数等について、上記の例に限定されるものではない。たとえば、全長Ｌ１が５７０ｍｍ、皮膜を形成する範囲の長さＬ２が１５５ｍｍ（全長の約２７％）、太さが最先端で０．５ｍｍ、最大径部分で３．４５ｍｍといった長めの穂先竿も発明者らは試作している。そのような長めの穂先竿については、元竿に接続し全長１．７ｍ程度の釣竿にして使用することを想定している。
先端付近への一部の範囲に金属皮膜を形成することについては、無電解ニッケルメッキとするのが最も好ましいと発明者らは考えるが、同様の性質を有し、樹脂表面に対してなじみの良い皮膜を適切な手段で形成するのであれば、他の金属・他の形成方法を採用するのもよい。
【００２６】
穂先竿の寸法（長さ・直径等）や金属皮膜の材質・膜厚等を変更すれば、竿の曲がり方や調子を任意に設定することができる。そうした構成上の変更によって曲がり方等を異ならせた複数の穂先竿をセットにして釣り人に提供し、釣り場での各種条件に合わせた選択使用が可能なようにするのも好ましい。
【００２７】
図４に、穂先竿ケースの実施例を示している。図示の穂先竿ケース１０は、釣り場に複数本の穂先竿１を持参するとき使用できるもので、ケース本体１１とその端部に装着するキャップ１３とからなる。
ケース本体１１は透明プラスチックでできた円筒（または角筒）であり、一端部または両端部に開口１２がある。穂先竿ケース１０は、ケース本体１１のその開口１２（一箇所または二箇所）を、キャップ１３を装着することによって閉じることができるようにしたものである。
【００２８】
キャップ１３は、ケース本体１１の内側に密に差し込まれる挿入部１４とそれに続く鍔部１５とを有し、挿入部１４の内側に竿保持具１６が取り付けてられている。竿保持具１６はゴム製であり、ケース本体１１内に挿入される側の面に複数の穴１７が開いている。穴１７の内径は、種々のサイズの穂先竿１の外径よりもやや小さめであるため、穴１７のどれかに穂先竿１を差し込むと、ゴムの弾力によってその穂先竿１が保持される。
【００２９】
以上の構成により、複数の穂先竿１を穂先竿ケース１０内に安定的に入れることができる。すなわち、竿保持具１６のそれぞれの穴１７に１本ずつ差し込んで穂先竿１を保持させたうえ、キャップ１２の挿入部１４をケース本体１１に挿入すると、穂先竿１はケース１０から抜け出ることがないうえ、竿保持具１６の穴１７に保持されるために運搬中等にもケース内で穂先竿１同士または穂先竿１とケース本体１１とが接触し合うことが防止される。他の物との接触が防止されると、穂先竿１の一部表面に形成された金属皮膜の剥離が防止され、上述した穂先竿１の利点が損なわれない。
【符号の説明】
【００３０】
１  穂先竿
２  本体部分
３  皮膜（無電解ニッケルメッキ皮膜）
４  黒色塗装膜
５  クリア塗膜
６  釣糸ガイド
１０  穂先竿ケース
１１  ケース本体
１３  キャップ
１６  竿保持具
１７  穴
【図１】
0003231020.tif 000003
【図２】
0003231020.tif 000004
【図３】
0003231020.tif 000005
【図４】
0003231020.tif 000006